(57)【要約】【課題】発光板４８に発光状態で大きな見栄えの差が生じることを解消する。【解決手段】遮蔽板３６はユニット台板３１のガイド孔３２をユニット台板３１の後方から塞ぐものであり、遮蔽板３６およびユニット台板３１は有色不透明な色彩に設定されている。従って、発光板４８のうちユニット台板３１の前方に位置する部分およびガイド孔３２の前方に位置する部分間に発光状態で大きな見栄えの差が生じることが解消される。【選択図】図４
2015150142.tif 000002
【特許請求の範囲】
【請求項１】
側面から光が入射されて発光する透光性の装飾発光部材と、
前記装飾発光部材の後方に設けられ、前記装飾発光部材の後方に位置して前後方向に貫通する貫通孔を有する不透明な後部材と、
前記装飾発光部材の後方で前記後部材の貫通孔を覆う不透明な覆い部材を備えたことを特徴とする遊技機。
【発明の詳細な説明】
【技術分野】
【０００１】
本発明は装飾発光部材を備えた遊技機に関する。
【背景技術】
【０００２】
特許文献１には側面から光が進入することで発光する装飾発光部材を備えた遊技機が記載され、特許文献２には移動部材を貫通孔に沿って移動操作することで移動部材から装飾可動部材に動力を伝達して装飾可動部材を動作させる遊技機が記載されている。
【先行技術文献】
【特許文献】
【０００３】
【特許文献１】特開２０１３−１６９２６０号公報
【特許文献２】特開２０１３−５８４３号公報
【発明の概要】
【発明が解決しようとする課題】
【０００４】
装飾発光部材および装飾可動部材の双方を用いた場合には両者間の配置のレイアウトによっては装飾発光部材の後方に貫通孔が位置することがある。
ここで、後方から光が入射される装飾発光部材の場合には、装飾発光部材の後方に白色の発光基板が配置され、発光基板の光源から装飾発光部材に向けて光が投射される。従って、装飾発光部材の全領域が後方から発光基板で覆われるので、遊技者の目線での装飾発光部材の発光状態での見栄えが後方の影響を受け難くなる。
【０００５】
これに対し、側面から光が入射される装飾発光部材に場合には、装飾発光部材の側面側に発光基板が配置されたり、装飾発光部材の後方に発光基板が配置される場合でも装飾発光部材の側面近傍の一部領域を覆うように配置されるに過ぎず、遊技者の目線での装飾発光部材の発光状態での見栄えが後方の影響を受け易くなる。従って、装飾発光部材の後方に貫通孔が存在する場合には装飾発光部材のうち貫通孔の前方に位置する部分および位置しない部分間で見栄えに大きな差が生じてしまう。
【課題を解決するための手段】
【０００６】
本発明の遊技機は次の［１］装飾発光部材〜［３］覆い部材を備えたものである。
［１］装飾発光部材は側面から光が入射されて発光する透光性のものであり、図６の発光板４８は装飾発光部材に相当する。
［２］後部材は装飾発光部材の後方に設けられたものであり、装飾発光部材の後方に位置して前後方向に貫通する貫通孔を有する不透明なものである。図３のユニット台板３１は後部材に相当し、図３のガイド孔３２は貫通孔に相当する。
［３］覆い部材は装飾発光部材の後方で後部材の貫通孔を覆う不透明なものであり、図４の遮蔽板３６および図１１の遮蔽板６２のそれぞれは覆い部材に相当する。
【発明の効果】
【０００７】
装飾発光部材の後方に貫通孔が存在する場合であっても貫通孔の前方に位置する部分および位置しない部分間で装飾発光部材の見栄えに大きな差が生じることが解消される。
【図面の簡単な説明】
【０００８】
【図１】実施例１を示す図（パチンコ遊技機の外観を斜め前から示す図）
【図２】遊技板を前から示す図
【図３】レベルゲージユニットを演出部材と発光板と装飾シートの除去状態で前から示す図
【図４】レベルゲージユニットを後から示す図
【図５】演出部材の連結状態を説明するための図３相当図
【図６】レベルゲージユニットを前から示す図
【図７】レベルゲージユニットを発光板および装飾シートの除去状態で前から示す図（演出部材を１段階位置で示す図）
【図８】演出部材を２段階位置で示す図６相当図
【図９】演出部材を３段階位置で示す図６相当図
【図１０】（ａ）は演出部材を４段階位置で示す図６相当図、（ｂ）はＸ線に沿う断面図
【図１１】実施例２を示す図
【発明を実施するための形態】
【実施例１】
【０００９】
パチンコホールの台島には、図１に示すように、外枠１が設置されている。この外枠１は前面および後面が開口する縦長な四角筒状をなすものであり、外枠１には内枠２が装着されている。この内枠２は前面および後面が開口する縦長な四角筒状をなすものであり、内枠２の前端部は外枠１の前端面に対して前へ突出し、内枠２のうち前端部を除いた残りの部分は外枠１内に収納されている。この内枠２の下端部には下皿板３が固定されている。この下皿板３は内枠２の前端面に対して前へ突出するものであり、下皿板３には下皿４および発射ハンドル５が装着されている。
【００１０】
内枠２には、図１に示すように、扉枠６が装着されている。この扉枠６は内枠２の前端面に対して前へ突出するものであり、下皿板３の上側に配置されている。この扉枠６は開口部を有する枠状をなすものであり、扉枠６には扉枠６の開口部を塞ぐ透明な窓７が固定されている。この扉枠６の下端部には上皿８が固定されている。この上皿８は遊技球を貯留するものであり、発射ハンドル５が操作された状態では上皿８内の遊技球が弾き出される。
【００１１】
内枠２には、図２に示すように、遊技板９が支持されている。この遊技板９は扉枠６の後方に配置されたものであり、扉枠６の窓７は遊技板９を前から視識可能に覆っている。この遊技板９は透明な合成樹脂を材料とする透光性を有するものであり、遊技板９の前面には外レール１０と内レール１１と球止めゴム１２が固定されている。この遊技板９の前面には発射通路１３および遊技領域１４が形成されている。発射通路１３は外レール１０および内レール１１間の円弧状の通路であり、遊技領域１４は外レール１０と内レール１１と球止めゴム１２で囲まれた領域のうち発射通路１３を除く残りの円形状の領域であり、上皿８内の遊技球が弾き出された場合には発射通路１３を通して遊技領域１４内に放出される。この遊技領域１４内には複数の障害釘が固定されており、発射通路１３から遊技領域１４内に放出された遊技球は障害釘に当りながら遊技領域１４内を落下する。
【００１２】
遊技板９には、図２に示すように、始動口１５が固定されている。この始動口１５は遊技板９の前面に対して前へ突出するものであり、遊技領域１４内に配置されている。この始動口１５は遊技球が上面から入賞可能なポケット状をなすものであり、遊技球が始動口１５内に入賞した場合には大当りおよび外れのいずれであるかが判定される。
【００１３】
遊技板９には、図２に示すように、表示台板１６が固定されており、表示台板１６には図柄表示器１７が固定されている。この図柄表示器１７はカラー液晶表示器からなるものであり、遊技球が始動口１５内に入賞したことに応じて大当りおよび外れのいずれであるかが判定された場合には図柄表示器１７に図柄遊技の映像が表示開始される。この図柄遊技の映像は図柄要素を横３列に変動表示した後に停止表示するものであり、各列の図柄要素の変動表示は図柄要素の種類を（１）（２）（３）（４）（１）・・・の循環的な一定順序で変化させることで行われ、各列の図柄要素の停止表示は図柄要素の種類の変化を（１）〜（４）のいずれか１つで停止させることで行われる。
【００１４】
３列の図柄要素は１番目が左列で２番目が右列で３番目が中列の順に停止表示されるものであり、３列の図柄要素が停止表示された場合には大当りの組合せと外れリーチの組合せと完全外れの組合せのいずれかとなる。大当りの組合せは３列の図柄要素が相互に同一な組合せであり、大当りと判定された場合には３列の図柄要素が大当りの組合せとなる。外れリーチの組合せは左列の図柄要素および右列の図柄要素が相互に同一で中列の図柄要素が左列の図柄要素および右列の図柄要素のそれぞれと異なる組合せであり、完全外れの組合せは左列の図柄要素および右列の図柄要素が相互に異なる組合せであり、外れと判定された場合には３列の図柄要素が外れリーチの組合せまたは完全外れの組合せとなる。
【００１５】
遊技板９には、図２に示すように、遊技領域１４内に位置して特別入賞口１８が固定されている。この特別入賞口１８は遊技球が前面から入賞可能な箱状をなすものであり、特別入賞口１８には扉１９が軸２０を中心に回転可能に装着されている。この扉１９は垂直な閉鎖状態となることで特別入賞口１８の前面を遊技球が入賞不能に閉鎖するものであり、軸２０を中心に前方へ水平に倒れた開放状態に回転することで特別入賞口１８の前面を遊技球が入賞可能に開放する。
【００１６】
図柄表示器１７に図柄遊技の映像で３列の図柄要素が大当りの組合せで停止表示された場合には大当りラウンドが開始される。この大当りラウンドは特別入賞口１８を開放状態とするものであり、特別入賞口１８内に限度個数の遊技球が入賞した場合または特別入賞口１８の開放時間が限度時間に到達した場合に特別入賞口１８が閉鎖状態となることで終了する。この大当りラウンドは一定回数だけ繰返されるものであり、一定回数の大当りラウンドの繰返しを大当り遊技と称する。
【００１７】
遊技板９の後方には、図２に示すように、賞球払出し装置２１が固定されている。この賞球払出し装置２１はパルスモータを有するものであり、遊技球が始動口１５内に入賞した場合および特別入賞口１８内に入賞した場合のそれぞれにはパルスモータの回転軸が回転操作されることで上皿８内に一定個数の遊技球が賞品として払出され、上皿８内から遊技球が溢れた場合には当該遊技球が下皿４内に供給される。
【００１８】
遊技板９の後方には、図２に示すように、レベルゲージユニット３０が配置されている。このレベルゲージユニット３０は装飾図柄遊技の映像を視覚的に演出するものであり、前から窓枠６の窓７および遊技板９を通して視認可能にされている。このレベルゲージユニット３０の詳細構成は次の通りである。
【００１９】
遊技板９の後方には、図３に示すように、ユニット台板３１が固定されている。このユニット台板３１は有色不透明な黒色の合成樹脂を材料とするものであり、遊技板９の左端部に配置されている。このユニット台板３１は扉枠６の窓７および透明な遊技板９を通して視認可能にされたものであり、ユニット台板３１にはガイド孔３２が形成されている。このガイド孔３２はユニット台板３１を前後方向に貫通するものであり、上下方向へ延びる円弧状をなしている。
【００２０】
ユニット台板３１のガイド孔３２内には、図３に示すように、黒色のスライド片３３が挿入されている。このスライド片３３はガイド孔３２に沿う円弧状をなすものであり、ガイド孔３２に比べて円周方向の長さ寸法が短く設定されている。このスライド片３３はガイド孔３２に沿って上下方向へ円弧状の軌跡で移動可能にされたものであり、スライド片３３の後端部はユニット台板３１の後面に対して後へ突出している。
【００２１】
スライド片３３の後端部には、図４に示すように、移動板３４が固定されている。この移動板３４は有色不透明な黒色の合成樹脂を材料とするものであり、移動板３４の色彩はユニット台板３１の色彩と同一に設定されている。この移動板３４は円弧状をなすものであり、ユニット台板３１の後方に配置されている。この移動板３４の径方向の幅寸法はガイド孔３２に比べて大きく設定されており、移動板３４の内周面はガイド孔３２の内周面に対して内周側へ突出し、移動板３４の外周面はガイド孔３２の外周面に対して外周側へ突出している。
【００２２】
移動板３４には、図４に示すように、機構板３５が固定されている。この機構板３５は有色不透明な黒色の合成樹脂を材料とするものであり、機構板３５の色彩はユニット台板３１および移動板３４のそれぞれの色彩と同一に設定されている。この機構板３５はユニット台板３１の後方に配置されたものであり、図３に示すように、ユニット台板３１に対して後から重なる重合部およびユニット台板３１に対して右側へ突出する突出部を有している。この機構板３５は移動板３４およびスライド片３３と一体的にガイド孔３２に沿って移動可能にされたものであり、図４の符号３６は移動板３４および機構板３５からなる遮蔽板を示している。
【００２３】
機構板３５には、図４に示すように、演出モータ３７が固定されている。この演出モータ３７はパルスモータからなるものであり、前後方向へ延びる回転軸を有している。この機構板３５には、図３に示すように、ジョイント３８が回転可能に挿入されている。このジョイント３８は機構板３５を前後方向に貫通する円筒状をなすものであり、機構板３５の突出部に配置されている。このジョイント３８の後端部には、図４に示すように、機構板３５の後方に位置してギア部３９が形成され、ジョイント３８のギア部３９は複数のギアからなる減速ギア機構４０を介して演出モータ３７の回転軸に連結されている。
【００２４】
ジョイント３８の前端部には、図５に示すように、ベース板４１が固定されており、ベース板４１には、図６に示すように、有色不透明な演出部材４２が固定されている。この演出部材４２は後面が開口する容器状をなすものであり（図１０参照）、ベース板４１は演出部材４２の後面を塞ぐ底板として機能している。これらベース板４１および演出部材４２は遊技板９の後方でユニット台板３１の前方に配置されたものであり、演出部材４２は扉枠６の窓７および遊技板９を通して視認可能にされている。
【００２５】
演出部材４２は、図６に示すように、人の手を模したものであり、演出モータ３７が電気的に制御されることに応じて演出停止状態および演出状態間でジョイント３８を中心に回転操作される。図６の実線は演出部材４２を演出停止状態で示すものであり、演出部材４２は演出停止状態で図柄表示器１７とは異なる方向を指す。図７の二点鎖線は演出部材４２を演出状態で示すものである。この演出部材４２は演出状態で図柄表示器１７を指すものであり、演出状態で図柄表示器１７が手指で指された印象を遊技者に与える。
【００２６】
ユニット台板３１には、図３に示すように、ガイド孔３２の左側に位置してＬＥＤ基板４３が固定されている。このＬＥＤ基板４３はユニット台板３１に比べて前方で演出部材４２に比べて後方に配置されたものであり、ＬＥＤ基板４３の前面には複数の１段階ＬＥＤ４４と複数の２段階ＬＥＤ４５と複数の３段階ＬＥＤ４６と複数の４段階ＬＥＤ４７が搭載されている。これら複数の１段階ＬＥＤ４４〜複数の４段階ＬＥＤ４７のそれぞれは左から右へＬＥＤ基板４３の前面に沿って光を投射するサイドビュータイプのものであり、複数の１段階ＬＥＤ４４は複数の１段階ＬＥＤ４４〜複数の４段階ＬＥＤ４７のうちで最も低所にかためて配置され、複数の２段階ＬＥＤ４５は複数の１段階ＬＥＤ４４の上にかためて配置され、複数の３段階ＬＥＤ４６は複数の２段階ＬＥＤ４５の上にかためて配置され、複数の４段階ＬＥＤ４７は複数の１段階ＬＥＤ４４〜複数の４段階ＬＥＤ４７のうちで最も高所にかためて配置されている。
【００２７】
ユニット台板３１には、図６に示すように、発光板４８が固定されている。この発光板４８はユニット台板３１と移動板３４と機構板３５のそれぞれに比べて透光性が高い透明な合成樹脂を材料とするものであり、前面および後面を有する平板状をなしている。この発光板４８はＬＥＤ基板４３の前面に前から重ねられたものであり、複数の１段階ＬＥＤ４４〜複数の４段階ＬＥＤ４７は発光板４８の蛇行状の左側面に左から隙間を介して対向している。この発光板４８はユニット台板３１のガイド孔３２を前から塞ぐものでもあり、発光板４８の前面には鋸状のフレネルカットが施されている。
【００２８】
複数の１段階ＬＥＤ４４〜複数の４段階ＬＥＤ４７には、図６に示すように、前から装飾シート４９が被せられている。この装飾シート４９は透明シートに金色の色彩で絵柄を形成したものであり、被覆部および装飾部を有している。被覆部は装飾シート４９の左半部に設定されたものであり、全域が隙間なく金色の色彩に設定されている。この被覆部は複数の１段階ＬＥＤ４４〜複数の４段階ＬＥＤ４７を前から視認不能に隠すものであり、複数の１段階ＬＥＤ４４〜複数の４段階ＬＥＤ４７から投射された光が前に漏れないように当該光を反射する。装飾部は装飾シート４９のうち被覆部を除く残りの部分であり、装飾シート４９の右半部に設定されている。この装飾部は金色の色彩で網目状に着色されたものであり、光を透過可能に設定されている。この装飾部は発光板４８の前面に貼付されており、発光板４８を前から装飾している。
【００２９】
発光板４８には、図６に示すように、１段階領域５０と２段階領域５１と３段階領域５２と４段階領域５３が設定されている。１段階領域５０は発光板４８のうち複数の１段階ＬＥＤ４４の右側に設定された領域であり、複数の１段階ＬＥＤ４４が点灯状態とされた場合には複数の１段階ＬＥＤ４４から発光板４８の左側面を通して１段階領域５０内に光が進入することに応じて１段階領域５０が発光する。２段階領域５１は発光板４８のうち複数の２段階ＬＥＤ４５の右側に設定された領域であり、複数の２段階ＬＥＤ４５が点灯状態とされた場合には複数の２段階ＬＥＤ４５から発光板４８の左側面を通して２段階領域５１内に光が進入することに応じて２段階領域５１が発光する。
【００３０】
３段階領域５２は、図６に示すように、発光板４８のうち複数の３段階ＬＥＤ４６の右側に設定された領域であり、複数の３段階ＬＥＤ４６が点灯状態とされた場合には複数の３段階ＬＥＤ４６から発光板４８の左側面を通して３段階領域５２内に光が進入することに応じて３段階領域５２が発光する。４段階領域５３は発光板４８のうち複数の４段階ＬＥＤ４７の右側に設定された領域であり、複数の４段階ＬＥＤ４７が点灯状態とされた場合には複数の４段階ＬＥＤ４７から発光板４８の左側面を通して４段階領域５３内に光が進入することに応じて４段階領域５３が発光する。
【００３１】
ユニット台板３１には、図４に示すように、パルスモータからなる演出モータ５４が固定されている。この演出モータ５４はユニット台板３１の後方に配置されたものであり、前後方向へ延びる回転軸を有している。この演出モータ５４の回転軸には減速ギア機構５５を介して有色不透明な黒色のラック５６が連結されている。この減速ギア機構５５は複数のギアからなるものであり、演出モータ５４の回転力をラック５６に減速して伝達する。このラック５６は移動板３４の後面に固定されたものであり、移動板３４および機構板３５からなる遮蔽板３６は演出モータ５４が電気的に制御されることに応じてガイド孔３２に沿う円形軌跡で演出部材４２と共に移動する。
【００３２】
演出部材４２には零段階位置と１段階位置と２段階位置と３段階位置と４段階位置が設定されており、演出部材４２は今回の図柄遊技の映像で３列の図柄要素がリーチ状態とならない場合には零段階位置に静止する。このリーチ状態とは中列の図柄要素が停止表示される前の左列の図柄要素および右列の図柄要素が同一な組合せであり、演出部材４２は零段階位置で演出停止状態とされる。この演出部材４２は今回の図柄遊技の映像で３列の図柄要素がリーチ状態となる場合に零段階位置から１段階位置と２段階位置と３段階位置と４段階位置のいずれかに演出停止状態で移動操作されるものであり、演出部材４２の移動操作は今回の図柄遊技の映像で左列の図柄要素が停止表示される前に行われる。この演出部材４２は零段階位置から１段階位置〜４段階位置のいずれかに移動操作された場合に演出停止状態から演出状態に回転操作されるものであり、リーチ状態で中列の図柄要素が停止表示されることに応じて演出状態から演出停止状態に回転操作されながら零段階位置に戻される。
【００３３】
演出部材４２の外れと判定された場合の移動先は互いに同一の確率で１段階位置と２段階位置と３段階位置と４段階位置に設定されるものであり、演出部材４２の大当りと判定された場合の移動先は最も高い確率で４段階位置に設定され、２番目に高い確率で３段階位置に設定され、３番目に高い確率で２段階位置に設定され、４番目に高い確率で１段階位置に設定される。即ち、演出部材４２は零段階位置から１段階位置〜４段階位置のそれぞれへ移動することに応じて３列の図柄要素がリーチ状態となることを遊技者に予告するものであり、１段階位置〜４段階位置のいずれに移動するかに応じて３列の図柄要素が大当りの組合せとなる信頼度の高さを遊技者に報知する。
【００３４】
図６は演出部材４２を零段階位置で示すものであり、零段階位置は零段階位置〜４段階位置のうちで最も低い位置である。この演出部材４２の零段階位置では複数の１段階ＬＥＤ４４〜複数の４段階ＬＥＤ４７が消灯状態とされ、発光板４８が発光停止状態とされる。図７は演出部材４２を１段階位置で示すものである。この演出部材４２の１段階位置では演出停止状態で演出部材４２の手指部が発光板４８の１段階領域５０に前から重なる。この演出部材４２の手指は手指を模した部分を称するものであり、演出部材４２の１段階位置では遊技者の目線で発光板４８の１段階領域５０が手指で指された印象となる。この演出部材４２の１段階位置では複数の１段階ＬＥＤ４４が点灯状態とされることに応じて発光板４８の１段階領域５０が発光状態とされ、複数の２段階ＬＥＤ４５と複数の３段階ＬＥＤ４６と複数の４段階ＬＥＤ４７が消灯状態とされることに応じて発光板４８の２段階領域５１と３段階領域５２と４段階領域５３が発光停止状態とされる。
【００３５】
図８は演出部材４２を２段階位置で示すものである。この演出部材４２の２段階位置では演出停止状態で演出部材４２の手指部が発光板４８の２段階領域５１に前から重なり、遊技者の目線で発光板４８の２段階領域５１が手指で指された印象となる。この演出部材４２の２段階位置では複数の２段階ＬＥＤ４５が点灯状態とされることに応じて発光板４８の２段階領域５１が発光状態とされ、複数の１段階ＬＥＤ４４と複数の３段階ＬＥＤ４６と複数の４段階ＬＥＤ４７が消灯状態とされることに応じて発光板４８の１段階領域５０と３段階領域５２と４段階領域５３が発光停止状態とされる。
【００３６】
図９は演出部材４２を３段階位置で示すものである。この演出部材４２の３段階位置では演出停止状態で演出部材４２の手指部が発光板４８の３段階領域５２に前から重なり、遊技者の目線で発光板４８の３段階領域５２が手指で指された印象となる。この演出部材４２の３段階位置では複数の３段階ＬＥＤ４６が点灯状態とされることに応じて発光板４８の３段階領域５２が発光状態とされ、複数の１段階ＬＥＤ４４と複数の２段階ＬＥＤ４５と複数の４段階ＬＥＤ４７が消灯状態とされることに応じて発光板４８の１段階領域５０と２段階領域５１と４段階領域５３が発光停止状態とされる。
【００３７】
図１０は演出部材４２を４段階位置で示すものである。この演出部材４２の４段階位置では演出停止状態で演出部材４２の手指部が発光板４８の４段階領域５３に前から重なり、遊技者の目線で発光板４８の４段階領域５３が手指で指された印象となる。この演出部材４２の４段階位置では複数の４段階ＬＥＤ４７が点灯状態とされることに応じて発光板４８の４段階領域５３が発光状態とされ、複数の１段階ＬＥＤ４４と複数の２段階ＬＥＤ４５と複数の３段階ＬＥＤ４６が消灯状態とされることに応じて発光板４８の１段階領域５０と２段階領域５１と３段階領域５２が発光停止状態とされる。
【００３８】
遮蔽板３６は演出部材４２が零段階位置〜４段階位置間で移動操作されることに応じて演出部材４２と共に移動するものである。この遮蔽板３６は、図７に示すように、演出部材４２の１段階位置でユニット台板３１のガイド孔３２のうち４段階領域５３の後方に位置する部分と３段階領域５２の後方に位置する部分と２段階領域５１の上半部の後方に位置する部分を開放すると共に２段階領域５１の下半部の後方に位置する部分と１段階領域５０の後方に位置する部分をユニット台板３１の後から塞ぐものであり、演出部材４２の１段階位置で発光板４８の１段階領域５０が発光する見栄えがガイド孔３２の影響で低下することを防止する。
【００３９】
遮蔽板３６は、図８に示すように、演出部材４２の２段階位置でユニット台板３１のガイド孔３２のうち４段階領域５３の後方に位置する部分と３段階領域５２の上半部の後方に位置する部分を開放すると共に３段階領域５２の下半部の後方に位置する部分と２段階領域５１の後方に位置する部分と１段階領域５０の後方に位置する部分をユニット台板３１の後から塞ぐものであり、演出部材４２の２段階位置で発光板４８の２段階領域５１が発光する見栄えがガイド孔３２の影響で低下することを防止する。
【００４０】
遮蔽板３６は、図９に示すように、演出部材４２の３段階位置でユニット台板３１のガイド孔３２のうち４段階領域５３の上端部の後方に位置する部分を開放すると共に３段階領域５２の後方に位置する部分と２段階領域５１の後方に位置する部分と１段階領域５０の後方に位置する部分をユニット台板３１の後から塞ぐものであり、演出部材４２の３段階位置で発光板４８の３段階領域５２が発光する見栄えがガイド孔３２の影響で低下することを防止する。
【００４１】
遮蔽板３６は、図１０に示すように、演出部材４２の４段階位置でユニット台板３１のガイド孔３２のうち１段階領域５０の後方に位置する部分を開放すると共に４段階領域５３の後方に位置する部分と３段階領域５２の後方に位置する部分と２段階領域５１の後方に位置する部分をユニット台板３１の後から塞ぐものであり、演出部材４２の４段階位置で発光板４８の４段階領域５３が発光する見栄えがガイド孔３２の影響で低下することを防止する。
【００４２】
上記実施例１によれば次の効果を奏する。
ユニット台板３１のガイド孔３２を発光板４８の後方で塞ぐ遮蔽板３６を設け、遮蔽板３６およびユニット台板３１のそれぞれを有色不透明な黒色の色彩に設定したので、発光板４８に側面から光を入射しているにも拘らず発光板４８のうちユニット台板３１の前方に位置する部分およびガイド孔３２の前方に位置する部分間に発光状態で大きな見栄えの差が生じることが解消される。しかも、ユニット台板３１および遮蔽板３６を互いに同一の色彩に設定したので、発光板４８のうちユニット台板３１の前方に位置する部分およびガイド孔３２の前方に位置する部分間の発光状態での見栄えの差が小さくなる。しかも、遮蔽板３６をスライド片３３と共に移動可能としたので、遮蔽板３６がスライド片３３の進路を塞ぐことに応じて移動の妨げとなることが回避される。
【００４３】
演出部材４２が１段階位置と２段階位置と３段階位置のいずれに静止しているかに応じて発光板４８の１段階領域５０と２段階領域５１と３段階領域５２と４段階領域５３のいずれかを発光状態とし、ガイド孔３２のうち発光状態にある領域の後方に位置する一部をユニット台板３１の後方から遮蔽板３６で覆った。従って、発光板４８のうちユニット台板３１の前方に位置する部分およびガイド孔３２の前方に位置する部分間に発光板４８の発光状態で大きな見栄えの差が生じることが小さな面積の遮蔽板３６で解消される。
【００４４】
複数の１段階ＬＥＤ４４と複数の２段階ＬＥＤ４５と複数の３段階ＬＥＤ４６と複数の４段階ＬＥＤ４７を前方から装飾シート４９で覆った。従って、複数の１段階ＬＥＤ４４〜複数の４段階ＬＥＤ４７のそれぞれから投射された光の一部が装飾シート４９で反射され、装飾シート４９で反射された光が発光板４８内に発光板４８の左側面から進入するようになるので、発光板４８の輝度が高まる。
【００４５】
上記実施例１には特許請求の範囲に記載された発明に加えて次の［発明］が記載されている。
［発明］
遊技者が視認可能なものであって、光が内部に進入することで発光する透光性の装飾発光部材（４８）と、
前記装飾発光部材の後方に設けられ、前記装飾発光部材を支持するものであって前記装飾発光部材に比べて透光性が低いベース部材（３１）と、
前記ベース部材に設けられ、前記装飾発光部材によって前方から覆われたガイド孔（３２）と、
前記ガイド孔内に挿入されたものであって、前記ガイド孔に沿って移動可能な移動部材（３３）と、
遊技者が視認可能なものであって、前記移動部材を介して複数の位置間で移動操作される装飾可動部材（４２）と、
前記装飾発光部材の複数の領域（５０〜５３）のそれぞれに向けて光を投射するものであって、当該複数の領域のうち前記装飾可動部材の現在位置に応じた領域が発光するように電気的に制御される複数の光源（４４〜４７）と、
前記移動部材に設けられ、前記ガイド孔のうち少なくとも前記装飾発光部材の発光状態の領域の後方に位置する部分を前記ベース部材の後方から覆うものであって前記装飾発光部材に比べて透光性が低い覆い部材（３６）を備えたことを特徴とする遊技機。
【実施例２】
【００４６】
機構板３５には、図１１に示すように、円弧板６１が固定されている。この円弧板６１は移動板３４および機構板３５のそれぞれと同一の色彩を有する有色不透明な合成樹脂を材料とするものであり、ユニット台板３１の後方に配置されている。この円弧板６１は移動板３４および機構板３５と共に遮蔽板６２を構成するものであり、遮蔽板６２は演出部材４２の零段階位置と１段階位置と２段階位置と３段階位置と４段階位置のそれぞれでユニット台板３１のガイド孔３２の全領域をユニット台板３１の後方から塞ぐ。
【００４７】
上記実施例２においては、複数の１段階ＬＥＤ４４〜複数の４段階ＬＥＤ４７の全てを演出部材４２の１段階位置と２段階位置と３段階位置と４段階位置のそれぞれで点灯状態としても良い。
【００４８】
上記実施例２においては、遮蔽板６２が演出部材４２の零段階位置でガイド孔３２のうち４段階領域５３の後方に位置する一部または全部を開放し、遮蔽板６２が演出部材４２の１段階位置〜４段階位置のそれぞれでガイド孔３２の全領域を後方から塞ぐ構成としても良い。
【００４９】
上記実施例１においては、ユニット台板３１および遮蔽板３６を互いに異なる色彩に設定しても良く、要は発光板４８に比べて透光性を低く設定すれば良い。これは実施例２についても同様である。
【００５０】
上記実施例１においては、ガイド孔３２を発光板４８およびユニット台板３１間で塞ぐ覆い部材を設けても良く、要はガイド孔３２を発光板４８より後方で覆えば良い。これは実施例２についても同様である。
【００５１】
上記実施例１および２においては、ユニット台板３１および遮蔽板３６を互いに類似する類似色に設定しても良い。この類似色は色相環で隣り合う色彩であり、例えばユニット台板３１および遮蔽板３６の一方を黒色で他方をこげ茶色に設定したり、あるいは、ユニット台板３１および遮蔽板３６の一方を緑色で他方を黄緑色に設定すると良い。
【００５２】
上記実施例１および２においては、レベルゲージユニット３０を遊技板９の貫通孔内に挿入しても良い。
上記実施例１および２においては、本発明をスロットマシンに適用しても良い。
【符号の説明】
【００５３】
３１はユニット台板（後部材）、３２はガイド孔（貫通孔）、３３はガイド片（移動部材）、３６は遮蔽板（覆い部材）、４４は１段階ＬＥＤ（光源）、４５は２段階ＬＥＤ（光源）、４６は３段階ＬＥＤ（光源）、４７は４段階ＬＥＤ（光源）、４８は発光板（装飾発光部材）である。
【図１】
2015150142.tif 000003
【図２】
2015150142.tif 000004
【図３】
2015150142.tif 000005
【図４】
2015150142.tif 000006
【図５】
2015150142.tif 000007
【図６】
2015150142.tif 000008
【図７】
2015150142.tif 000009
【図８】
2015150142.tif 000010
【図９】
2015150142.tif 000011
【図１０】
2015150142.tif 000012
【図１１】
2015150142.tif 000013